(57)【要約】【課題】内燃機関の始動時に二次電池などの蓄電装置から電力供給される機器の異常検出を有効にマスクすると共に迅速に内燃機関を始動する。【解決手段】エンジンの始動要求予測が送信されたときには所定時間（２秒や３秒）に亘って誤動作防止制御やダイアグマスク制御を実行し（Ｓ１１０）、所定時間内にエンジンの始動要求が送信されたときにはスタータモータを駆動すると共にエンジンを始動制御する（Ｓ１３０）。これにより、エンジンの始動時にバッテリから電力供給される機器の異常検出を有効にマスクすると共にエンジンを迅速に始動することができる。【選択図】図２
2008215310.tif 000002
【特許請求の範囲】
【請求項１】
内燃機関からの動力を用いて走行する車両であって、
前記内燃機関をクランキングする電動機と、
前記電動機に電力を供給する蓄電手段と、
前記蓄電手段から電力の供給を受けて動作する車載機器と、
前記車載機器の動作に対する異常検出信号に対して所定の異常対処処理を行なう異常検出時処理手段と、
前記内燃機関の始動に影響を与える車両の状態を示す物理量である機関始動影響物理量を検出する機関始動影響物理量検出手段と、
前記内燃機関の運転を停止している最中に前記検出された機関始動影響物理量が所定物理量に至ったときに前記内燃機関の始動要求を行なう機関始動要求手段と、
前記検出された機関始動影響物理量に基づいて前記機関始動要求手段により前記始動要求が所定時間のうちに行なわれるのを予測する機関始動要求予測手段と、
前記始動要求が予測されたときには前記所定時間に亘って前記所定の異常対処処理が行なわれないよう前記異常検出時処理手段を制御すると共に前記始動要求が行なわれたときに前記内燃機関が始動されるよう前記内燃機関と前記電動機とを制御する始動時制御手段と、
を備える車両。
【請求項２】
前記機関始動影響物理量検出手段は、前記蓄電手段の端子間電圧，ブレーキ負圧，外気温度，乗員室内の温度，前記内燃機関の冷却水の温度のうちのいずれか一つまたは複数を検出する手段である請求項１記載の車両。
【請求項３】
前記蓄電手段は、前記車両における唯一の電源である請求項１または２記載の車両。
【請求項４】
前記所定の異常対処処理は、ダイアグコードの保存である請求項１ないし３いずれか記載の車両。
【請求項５】
請求項１ないし４いずれか記載の車両であって、
前記機関始動影響物理量は、複数の機器の作動に関する複数の物理量であり、
前記機関始動要求手段および前記機関始動要求予測手段は、前記機関始動影響物理量に基づいて前記複数の機器の作動を制御する複数の制御装置である、
車両。
【請求項６】
内燃機関と、前記内燃機関をクランキングする電動機と、前記電動機に電力を供給する蓄電手段と、前記蓄電手段から電力の供給を受けて動作する車載機器と、前記車載機器の動作に対する異常検出信号に対して所定の異常対処処理を行なう異常検出時処理手段と、を備える車両における前記内燃機関を始動する始動制御方法であって、
前記内燃機関の運転を停止している最中に前記内燃機関の始動に影響を与える車両の状態を示す物理量である機関始動影響物理量が所定時間内に所定物理量に至ることにより前記内燃機関の始動要求が行なわれるのを予測したときに前記所定時間に亘って前記所定の異常対処処理が行なわれないよう前記異常検出時処理手段を制御し、前記始動要求が行なわれたときに前記内燃機関が始動されるよう前記内燃機関と前記電動機とを制御する、
ことを特徴とする内燃機関の始動制御方法。
【発明の詳細な説明】
【技術分野】
【０００１】
本発明は、車両および内燃機関の始動制御方法に関し、詳しくは、内燃機関からの動力を用いて走行する車両および内燃機関と内燃機関をクランキングする電動機と電動機に電力を供給する蓄電手段と蓄電手段から電力の供給を受けて動作する車載機器と車載機器の動作に対する異常検出信号に対して所定の異常対処処理を行なう異常検出時処理手段とを備える車両における内燃機関を始動する始動制御方法に関する。
【背景技術】
【０００２】
従来、この種の車両としては、いわゆるアイドルストップ制御によりエンジンを自動停止している状態から自動的にエンジンを始動するときに始動電動機の動作タイミングと変速装置の設定動作タイミングとが重なるときには、始動電動機の動作を短い時間だけ遅らせる処理を行なうものが提案されている（例えば、特許文献１参照）。この車両では、始動電動機の動作を遅らせることにより、始動電動機の負荷電流によりバッテリ電圧が降下することによる制御動作に与える影響を合理的に排除しようとしている。
【特許文献１】特開２００３−１８４７１６号公報
【発明の開示】
【発明が解決しようとする課題】
【０００３】
上述の車両におけるエンジンの始動電動機の負荷電流によるバッテリ電圧の降下に基づく変速装置の誤動作を抑止するために始動電動機の動作タイミングを遅らせる処理は、エンジン始動時にバッテリからの電力供給を受けて作動する機器の誤動作や異常検出をマスクするために始動電動機の動作タイミングを遅らせる処理として適用することも可能であるが、始動電動機の動作タイミングを遅らせることにより、迅速にエンジンを始動することができなくなる。
【０００４】
本発明の車両および内燃機関の始動制御方法は、内燃機関の始動時に二次電池などの蓄電装置から電力供給される機器の異常検出を有効にマスクすると共に迅速に内燃機関を始動することを目的とする。
【課題を解決するための手段】
【０００５】
本発明の車両および内燃機関の始動制御方法は、上述の目的を達成するために以下の手段を採った。
【０００６】
本発明の車両は、
内燃機関からの動力を用いて走行する車両であって、
前記内燃機関をクランキングする電動機と、
前記電動機に電力を供給する蓄電手段と、
前記蓄電手段から電力の供給を受けて動作する車載機器と、
前記車載機器の動作に対する異常検出信号に対して所定の異常対処処理を行なう異常検出時処理手段と、
前記内燃機関の始動に影響を与える車両の状態を示す物理量である機関始動影響物理量を検出する機関始動影響物理量検出手段と、
前記内燃機関の運転を停止している最中に前記検出された機関始動影響物理量が所定物理量に至ったときに前記内燃機関の始動要求を行なう機関始動要求手段と、
前記検出された機関始動影響物理量に基づいて前記機関始動要求手段により前記始動要求が所定時間のうちに行なわれるのを予測する機関始動要求予測手段と、
前記始動要求が予測されたときには前記所定時間に亘って前記所定の異常対処処理が行なわれないよう前記異常検出時処理手段を制御すると共に前記始動要求が行なわれたときに前記内燃機関が始動されるよう前記内燃機関と前記電動機とを制御する始動時制御手段と、
を備えることを要旨とする。
【０００７】
この本発明の車両では、内燃機関の運転を停止している最中に内燃機関の始動に影響を与える車両の状態を示す物理量である機関始動影響物理量が所定物理量に至ることにより内燃機関の始動要求が所定時間のうちに行なわれるのを予測したときに所定時間に亘って車載機器の動作に対する異常検出信号に対して行なわれる所定の異常対処処理が行なわれないよう異常検出時処理手段を制御し、始動要求が行なわれたときに内燃機関が始動されるよう内燃機関と電動機とを制御する。これにより、内燃機関の始動時に蓄電手段から電力の供給を受けて動作する車載用機器に対する異常検出信号に対して行なわれる所定の異常対処処理を有効にマスクすることができると共に始動要求が行なわれたときに直ちに内燃機関を始動することができる。
【０００８】
こうした本発明の車両において、前記機関始動影響物理量検出手段は、前記蓄電手段の端子間電圧，ブレーキ負圧，外気温度，乗員室内の温度，前記内燃機関の冷却水の温度のうちのいずれか一つまたは複数を検出する手段であるものとすることもできる。また、本発明の車両において、前記蓄電手段は、前記車両における唯一の電源であるものとすることもできる。さらに、本発明の車両において、前記所定の異常対処処理はダイアグコードの保存であるものとすることもできる。
【０００９】
また、本発明の車両において、前記機関始動影響物理量は複数の機器の作動に関する複数の物理量であり、前記機関始動要求手段および前記機関始動要求予測手段は前記機関始動影響物理量に基づいて前記複数の機器の作動を制御する複数の制御装置である、ものとすることもできる。
【００１０】
本発明の内燃機関の始動制御方法は、
内燃機関と、前記内燃機関をクランキングする電動機と、前記電動機に電力を供給する蓄電手段と、前記蓄電手段から電力の供給を受けて動作する車載機器と、前記車載機器の動作に対する異常検出信号に対して所定の異常対処処理を行なう異常検出時処理手段と、を備える車両における前記内燃機関を始動する始動制御方法であって、
前記内燃機関の運転を停止している最中に前記内燃機関の始動に影響を与える車両の状態を示す物理量である機関始動影響物理量が所定物理量に至ることにより前記内燃機関の始動要求が所定時間のうちに行なわれるのを予測したときに前記所定時間に亘って前記所定の異常対処処理が行なわれないよう前記異常検出時処理手段を制御し、前記始動要求が行なわれたときに前記内燃機関が始動されるよう前記内燃機関と前記電動機とを制御する、
ことを特徴とする。
【００１１】
この本発明の内燃機関の始動制御方法では、内燃機関の運転を停止している最中に内燃機関の始動に影響を与える車両の状態を示す物理量である機関始動影響物理量が所定物理量に至ることにより内燃機関の始動要求が所定時間のうちに行なわれるのを予測したときに所定時間に亘って車載機器の動作に対する異常検出信号に対して行なわれる所定の異常対処処理が行なわれないよう異常検出時処理手段を制御し、始動要求が行なわれたときに内燃機関が始動されるよう内燃機関と電動機とを制御する。これにより、内燃機関の始動時に蓄電手段から電力の供給を受けて動作する車載用機器に対する異常検出信号に対して行なわれる所定の異常対処処理を有効にマスクすることができると共に始動要求が行なわれたときに直ちに内燃機関を始動することができる。
【発明を実施するための最良の形態】
【００１２】
次に、本発明を実施するための最良の形態を実施例を用いて説明する。
【実施例】
【００１３】
図１は、本発明の一実施例としての自動車２０の構成の概略を示す構成図である。実施例の自動車２０は、エンジン３０と、エンジン３０からの動力を変速して前輪２２ａ，２２ｂの車軸にデファレンシャルギヤ２３を介して出力するオートマチックトランスミッション４０と、エンジン３０をクランキングするスタータモータ４４と、エンジン３０のクランクシャフトに図示しないベルトを介して取り付けられたオルタネータ４６と、オルタネータ４６からの発電電力により充電されると共にスタータモータ４４や他の補機５８に電力を供給するバッテリ５０と、車両全体をコントロールする電子制御ユニット６０と、を備える。なお、実施例の自動車２０は、後輪２４ａ，２４ｂを従動輪とする前輪駆動の車両として構成されている。
【００１４】
エンジン３０は、ガソリンまたは軽油などの炭化水素系の燃料により動力を出力する内燃機関であり、エンジン３０の冷却水の温度を検出する温度センサ３４などのエンジン３０の運転状態を検出する各種センサから信号を入力するエンジン用電子制御ユニット（以下、エンジンＥＣＵという）３２により燃料噴射制御や点火制御，吸入空気量調節制御などの運転制御を受けている。エンジンＥＣＵ３２は、電子制御ユニット６０と通信しており、電子制御ユニット６０からの制御信号によりエンジン３０を運転制御すると共に必要に応じてエンジン３０の運転状態に関するデータを電子制御ユニット６０に出力する。エンジンＥＣＵ３２は、エンジン３０に取り付けられて駆動する電動機などの機器や装置に対して異常が生じていないかを検出し、異常が検出されたときには異常に対応するコード（ダイアグコード）を保存すると共に必要であればエンジン３０の運転を停止する。
【００１５】
オートマチックトランスミッション４０は、図示しないが、ロックアップクラッチ付きのトルクコンバータと前進６段で後進１段の変速機とロックアップクラッチや変速機の複数のクラッチやブレーキをオンオフするためのアクチュエータとしての油圧回路とにより構成されており、オートマチックトランスミッション用電子制御ユニット（以下、ＡＴＥＣＵという）４２により変速制御を受けている。ＡＴＥＣＵ４２は、電子制御ユニット６０と通信しており、電子制御ユニット６０からの制御信号によりオートマチックトランスミッション４０を変速制御すると共に必要に応じてオートマチックトランスミッション４０の状態に関するデータを電子制御ユニット６０に出力する。ＡＴＥＣＵ４２は、オートマチックトランスミッション４０に取り付けらて駆動する電動機などの機器や装置に対して異常が生じていないかを検出し、異常が検出されたときには異常に対応するコード（ダイアグコード）を保存する。
【００１６】
バッテリ５０は、バッテリ用電子制御ユニット（以下、バッテリＥＣＵという）５２によって管理されている。バッテリＥＣＵ５２には、バッテリ５０を管理するのに必要な信号、例えば、バッテリ５０の端子間に設置された電圧センサ５４からの端子間電圧やバッテリ５０の出力端子に接続された電力ラインに取り付けられた図示しない電流センサからの充放電電流，バッテリ５０に取り付けられた図示しない温度センサからの電池温度などが入力されており、必要に応じてバッテリ５０の状態に関するデータを通信により電子制御ユニット６０に出力する。また、バッテリＥＣＵ５２は、バッテリ５０に取り付けられた機器に対して異常が生じていないかを検出し、異常が検出されたときには異常に対応するコード（ダイアグコード）を保存する。
【００１７】
補機５８としては、例えば、乗員室内を空気調和する空調装置のコンプレッサや燃料供給ポンプなど種々のものを挙げることができる。なお、空調装置は、空調用電子制御ユニット（以下、空調用ＥＣＵという）９０により制御されており、空調装置を機能させる図示しないパワースイッチや設定温度を入力する図示しないスイッチ，風量を調節する図示しない風量調節スイッチなどが設けられている。また、空調用ＥＣＵ９０は、車両外側に取り付けられた外気温センサ９２からの外気温や乗員室内に取り付けられた室内温センサ９４からの室内温などが入力されており、室内温が設定温度となるよう空調装置を駆動制御する。
【００１８】
電子制御ユニット６０は、ＣＰＵ６２を中心とするマイクロプロセッサとして構成されており、ＣＰＵ６２の他に処理プログラムを記憶するＲＯＭ６４と、データを一時的に記憶するＲＡＭ６６と、図示しない入出力ポートおよび通信ポートとを備える。電子制御ユニット６０には、シフトレバー７１の操作位置を検出するシフトポジションセンサ７２からのシフトポジション，アクセルペダル７３の踏み込み量を検出するアクセルペダルポジションセンサ７４からのアクセル開度，ブレーキペダル７５の踏み込み量を検出するブレーキペダルポジションセンサ７６からのブレーキペダルポジション，ブレーキマスタシリンダー７８に取り付けられた油圧センサ７９からのマスタブレーキ圧，車速センサ８０からの車速などが入力ポートを介して入力されている。電子制御ユニット６０は、前述したように、エンジンＥＣＵ３２やＡＴＥＣＵ４２，バッテリＥＣＵ５２，空調用ＥＣＵ９０，図示しないブレーキ用電子制御ユニットなどの他の電子制御ユニットと通信ポートを介して接続されており、エンジンＥＣＵ３２やＡＴＥＣＵ４２，バッテリＥＣＵ５２，空調用ＥＣＵ９０，図示しないブレーキ用電子制御ユニットなどの他の電子制御ユニットと各種制御信号やデータのやりとりを行なっている。また、電子制御ユニット６０は、スタータモータ４４やオルタネータ４６，補機５８などの機器や装置に対して異常が生じていないかを検出し、異常が検出されたときには異常に対応するコード（ダイアグコード）を保存する。
【００１９】
こうして構成された実施例の自動車２０は、停車中は、エンジン３０がアイドル運転されておりアクセルオフでブレーキオン且つマスタブレーキ圧が所定圧以上であることなどの自動停止条件が成立するとエンジン３０の運転を自動停止し、エンジン３０の自動停止中にブレーキオフやアクセルオンなどの始動条件が成立するとエンジン３０を自動始動する、いわゆるアイドルストップ制御を実施している。
【００２０】
次に、実施例の自動車２０がアイドルストップによりエンジン３０が自動停止されているときの動作、特に運転者の操作に伴うエンジン３０の始動要求とは異なるエンジン３０の始動要求に対する動作について説明する。実施例の自動車２０では、アイドルストップによりエンジン３０が自動停止されているときでも、バッテリ４８の端子間電圧Ｖｂが定格電圧より若干低い電圧に至ってバッテリ４８の蓄電状態が低下したときや、空調装置により暖房している最中に乗員室内の温度が空調装置による乗員室内の目標温度より所定温度以上低くなったとき、或いは空調装置により冷房している最中に乗員室内の温度が空調装置による乗員室内の目標温度より所定温度以上高くなったとき、などにバッテリ４８を充電したり空調装置のコンプレッサを駆動するためなどにエンジン３０を始動する。図２は、アイドルストップによりエンジン３０が自動停止している最中に電子制御ユニット６０により実行されるエンジン停止時制御ルーチンの一例を示すフローチャートであり、図３はバッテリ５０の端子間電圧に基づいてエンジン３０の始動要求を行なう際にバッテリＥＣＵ５２により実行される始動要求送信処理の一例を示すフローチャートである。説明の都合上、エンジン３０の始動要求の送信処理について説明し、その後、エンジン停止時制御について説明する。
【００２１】
図３の始動要求送信処理では、バッテリＥＣＵ５２の図示しないＣＰＵは、まず、電圧センサ５４からのバッテリ５０の端子間の電圧Ｖｂを入力し（ステップＳ２００）、入力した電圧Ｖｂを閾値Ｖｒｅｆ１，Ｖｒｅｆ２と比較する（ステップＳ２１０）。ここで、閾値Ｖｒｅｆ１は、バッテリ５０を充電するためにエンジン３０の始動要求を行なう電圧として設定されており、バッテリ５０の定格電圧より若干低い電圧を用いることができる。また、閾値Ｖｒｅｆ２は、所定時間（例えば、２秒や３秒）経過するとバッテリ５０の端子間の電圧Ｖｂが閾値Ｖｒｅｆ１に至ってエンジン３０の始動要求が行なわれるのを予測するための電圧として設定されており、閾値Ｖｒｅｆ１より僅かに高い電圧（例えば、０．１Ｖ高い電圧など）を用いることができる。バッテリ５０の端子間の電圧Ｖｂが閾値Ｖｒｅｆ２以上であるときには、バッテリ５０の端子間の電圧Ｖｂによるエンジン３０の始動要求は行なわれないと判断し、何もせずにこの処理を終了する。バッテリ５０の端子間の電圧Ｖｂが閾値Ｖｒｅｆ１以上であるが閾値Ｖｒｅｆ２未満のときには、所定時間（２秒や３秒など）経過後にエンジン３０の始動要求がなされると判断し、始動要求予測を通信により電子制御ユニット６０に送信して（ステップＳ２２０）、本処理を終了し、バッテリ５０の端子間の電圧Ｖｂが閾値Ｖｒｅｆ１未満であるときには、エンジン３０を始動してバッテリ５０を充電すべきと判断して、始動要求を通信により電子制御ユニット６０に送信して（ステップＳ２３０）、本処理を終了する。
【００２２】
図３の始動要求送信処理では、バッテリ５０の端子間の電圧Ｖｂに基づいてエンジン３０の始動要求を送信する際のバッテリＥＣＵ５２の動作について説明したが、空調装置により暖房している最中に室内温センサ９４により検出される温度と空調装置による乗員室内の目標温度とに基づいてエンジン３０の始動要求を送信する際の空調用ＥＣＵ９０の動作や空調装置により冷房している最中に室内温センサ９４により検出される温度と空調装置による乗員室内の目標温度とに基づいてエンジン３０の始動要求を送信する際の空調用ＥＣＵ９０の動作なども同様に行なうことができる。
【００２３】
次に、エンジン停止時制御について説明する。図２のエンジン停止時制御ルーチンが実行されると、電子制御ユニット６０のＣＰＵ６２は、まず、バッテリＥＣＵ５２や空調用ＥＣＵ９０などから始動要求予測が送信されているか否かを判定し（ステップＳ１００）、始動要求予測が送信されていないときには、始動要求予測が送信されているか否かを判定する処理を所定時間毎（例えば、数ｍｓｅｃ毎）に繰り返す。そして、始動要求予測が送信されていると判定すると、バッテリ５０から電力供給を受けて電子制御ユニット６０により駆動制御される機器が誤動作しないよう停止したり定常運転とするなどの誤動作防止制御を実行したりエンジンＥＣＵ３２やＡＴＥＣＵ４２，空調用ＥＣＵ９０などにバッテリ５０から電力供給を受けてそれぞれのＥＣＵにより駆動制御される機器が誤動作しないよう停止したり定常運転とするなどの誤動作防止制御を実行する制御信号を送信すると共に電子制御ユニット６０により異常検出される機器に対する異常検出の際のコード（ダイアグコード）の保存処理を停止するダイアグマスク制御を行なったりエンジンＥＣＵ３２やＡＴＥＣＵ４２，空調用ＥＣＵ９０などのそれぞれのＥＣＵにより異常検出される機器に対する異常検出の際のコード（ダイアグコード）の保存処理を停止するダイアグマスク制御を行なう制御信号を送信する（ステップＳ１１０）。誤動作防止制御を実行する制御信号やダイアグマスク制御を行なう制御信号を受信したエンジンＥＣＵ３２やＡＴＥＣＵ４２，空調用ＥＣＵ９０などは、それぞれのＥＣＵにより駆動制御される機器が誤動作しないよう停止したり定常運転とするなどの誤動作防止制御を実行すると共にそれぞれのＥＣＵにより異常検出される機器に対する異常検出の際のコード（ダイアグコード）の保存処理を停止する。
【００２４】
そして、所定時間（２秒や３秒）以内にバッテリＥＣＵ５２や空調用ＥＣＵ９０などから始動要求が送信されるのを待って（ステップＳ１２０）、スタータモータ４４を駆動してエンジン３０をクランキングすると共にエンジンＥＣＵ３２にエンジン３０を始動する制御信号を送信して（ステップＳ１３０）、本ルーチンを終了する。このように、エンジン３０の始動要求予測により誤動作防止制御やダイアグマスク制御が実行されるから、エンジン３０の始動要求が送信されたときには、直ちにエンジン３０を始動することができる。この結果、エンジン３０の始動時にバッテリ５０から電力供給される機器の異常検出を有効にマスクすると共にエンジン３０を迅速に始動することができる。なお、所定時間（２秒や３秒）以内にバッテリＥＣＵ５２や空調用ＥＣＵ９０などから始動要求が送信されないときには、不必要に長時間に亘る誤動作防止制御やダイアグマスク制御の実行を解除するために、電子制御ユニット６０による誤動作防止制御やダイアグマスク制御を解除すると共にエンジンＥＣＵ３２やＡＴＥＣＵ４２，空調用ＥＣＵ９０などによる誤動作防止制御やダイアグマスク制御を解除する制御信号を送信して（ステップＳ１４０）、本ルーチンを終了する。誤動作防止制御やダイアグマスク制御を解除する制御信号を受信したエンジンＥＣＵ３２やＡＴＥＣＵ４２，空調用ＥＣＵ９０などは、上述した誤動作防止制御やダイアグマスク制御を解除する。
【００２５】
以上説明した実施例の自動車２０によれば、エンジン３０の始動要求予測が送信されたときには所定時間（２秒や３秒）に亘って誤動作防止制御やダイアグマスク制御を実行することにより、エンジン３０の始動要求が送信されたときには直ちにエンジン３０を始動することができる。この結果、エンジン３０の始動時にバッテリ５０から電力供給される機器の異常検出を有効にマスクすると共にエンジン３０を迅速に始動することができる。
【００２６】
実施例の自動車２０では、バッテリ５０の端子間の電圧Ｖｂに基づいてエンジン３０の始動要求予測や始動要求を送信するものとしたが、上述したように、空調装置により暖房や冷房している最中に室内温センサ９４により検出される温度と空調装置による乗員室内の目標温度とに基づいてエンジン３０の始動要求予測や始動要求を送信するものとしたり、ブレーキ負圧に基づいてエンジン３０の始動要求予測や始動要求を送信するものとしたり、エンジン３０の冷却水の温度に基づいてエンジン３０の始動要求予測や始動要求を送信するものとしたりするなど、エンジン３０の始動に影響を与える車両の状態を表わす物理量であれば如何なる物理量に基づいてエンジン３０の始動要求予測や始動要求を送信するものとしてもよい。
【００２７】
実施例の自動車２０では、エンジン３０の始動要求予測が送信されたときには所定時間（２秒や３秒）に亘って誤動作防止制御やダイアグマスク制御を実行するものとしたが、エンジン３０の始動要求予測が送信されたときには所定時間（２秒や３秒）に拘わらずに始動要求が送信されるまでは誤動作防止制御やダイアグマスク制御を実行するものとしてもよい。
【００２８】
実施例の自動車２０では、エンジン３０の始動要求予測が送信されたときには所定時間（２秒や３秒）に亘って誤動作防止制御やダイアグマスク制御を実行するものとしたが、エンジン３０の始動要求予測が送信されたときには所定時間（２秒や３秒）に亘ってダイアグマスク制御のみを実行するものとしてもよい。
【００２９】
実施例の自動車２０では、唯一の電源としてバッテリ５０を搭載するものとしたが、電圧の異なる複数のバッテリを搭載するものとしても構わない。この場合、エンジン３０の始動要求予測が送信されたときにはスタータモータ４４に電力供給するバッテリから電力供給を受ける機器に対する誤動作防止制御やダイアグマスク制御を実行すればよい。
【００３０】
実施例では、自動車２０の形態として説明したが、自動車以外の車両の形態としてもよく、車両における内燃機関の始動制御方法の形態としてもよい。
【００３１】
ここで、実施例の主要な要素と課題を解決するための手段の欄に記載した発明の主要な要素との対応関係について説明する。実施例では、エンジン３０が「内燃機関」に相当し、スタータモータ４４が「電動機」に相当し、バッテリ５０が「蓄電手段」に相当し、空調装置のコンプレッサなどの補機５８が「車載機器」に相当し、補機５８などの動作に対する異常検出信号に対してダイアグコードを保存する電子制御ユニット６０やエンジンＥＣＵ３２やＡＴＥＣＵ４２，空調用ＥＣＵ９０などが「異常検出時処理手段」に相当し、バッテリ５０の電圧Ｖｂを検出する電圧センサ５４や乗員室内の温度を検出する室内温センサ９４，エンジン３０の冷却水の温度を検出する温度センサ３４などが「機関始動影響物理量検出手段」に相当し、バッテリ５０の電圧Ｖｂが閾値Ｖｒｅｆ１未満に至ったときにエンジン３０の始動要求を行なうバッテリＥＣＵ５２や室内温センサ９４からの乗員室の温度と空調装置による目標温度とに基づいてエンジン３０の始動要求を行なう空調用ＥＣＵ９０などが「機関始動要求手段」に相当し、バッテリ５０の電圧Ｖｂが閾値Ｖｒｅｆ１以上で閾値Ｖｒｅｆ２未満のときにエンジン３０の始動要求予測を行なうバッテリＥＣＵ５２や室内温センサ９４からの乗員室の温度と空調装置による目標温度とに基づいてエンジン３０の始動要求予測を行なう空調用ＥＣＵ９０などが「機関始動要求予測手段」に相当し、エンジン３０の始動要求予測が送信されたときに所定時間（２秒や３秒）に亘って誤動作防止制御やダイアグマスク制御を実行すると共にエンジンＥＣＵ３２やＡＴＥＣＵ４２，空調用ＥＣＵ９０などに誤動作防止制御やダイアグマスク制御を実行する制御信号を送信し、エンジン３０の始動要求が送信されたときにスタータモータ４４を駆動すると共にエンジン３０を始動する制御信号を送信する電子制御ユニット６０と誤動作防止制御やダイアグマスク制御を実行する制御信号を受信して誤動作防止制御やダイアグマスク制御を実行するエンジンＥＣＵ３２やＡＴＥＣＵ４２，空調用ＥＣＵ９０などとエンジン３０を始動する制御信号を受信してエンジン３０を始動制御するエンジンＥＣＵ３２とが「始動時制御手段」に相当する。ここで、「内燃機関」としては、ガソリンまたは軽油などの炭化水素系の燃料により動力を出力する内燃機関に限定されるものではなく、水素エンジンなど如何なるタイプの内燃機関であっても構わない。「電動機」としては、同期発電電動機としたり誘導電動機としたりするなど、内燃機関をクランキングするものであれば如何なるものとしても構わない。「蓄電手段」としては、二次電池としてのバッテリ５０に限定されるものではなく、電動機に電力を供給するものであれば如何なるものとしても構わない。「車載機器」としては、空調装置のコンプレッサなどの補機５８に限定されるものではなく、蓄電手段から電力の供給を受けて動作するものであれば如何なるものとしても構わない。「異常検出時処理手段」としては、補機５８などの動作に対する異常検出信号に対してダイアグコードを保存するものに限定されるものではなく、車載機器の動作に対する異常検出信号に対して所定の異常対処処理を行なうものであれば如何なるものとしても構わない。この場合、所定の異常対処処理は、ダイアグコードの保存に限定されるものではなく、如何なる処理としても構わない。「機関始動影響物理量検出手段」としてはバッテリ５０の電圧Ｖｂを検出する電圧センサ５４や乗員室内の温度を検出する室内温センサ９４，エンジン３０の冷却水の温度を検出する温度センサ３４などに限定されるものではなく、内燃機関の始動に影響を与える車両の状態を示す物理量である機関始動影響物理量を検出するものであれば如何なるものとしても構わない。「機関始動要求手段」としては、バッテリ５０の電圧Ｖｂが閾値Ｖｒｅｆ１未満に至ったときにエンジン３０の始動要求を行なうものや室内温センサ９４からの乗員室の温度と空調装置による目標温度とに基づいてエンジン３０の始動要求を行なうものに限定されるものではなく、ブレーキ負圧に基づいてエンジン３０の始動要求を行なうものとしたり、エンジン３０の冷却水の温度に基づいてエンジン３０の始動要求を行なうものとするなど、内燃機関の運転を停止している最中に検出された機関始動影響物理量が所定物理量に至ったときに内燃機関の始動要求を行なうものであれば如何なるものとしても構わない。「機関始動要求予測手段」としては、バッテリ５０の電圧Ｖｂが閾値Ｖｒｅｆ１以上で閾値Ｖｒｅｆ２未満のときにエンジン３０の始動要求予測を行なうものや室内温センサ９４からの乗員室の温度と空調装置による目標温度とに基づいてエンジン３０の始動要求予測を行なうものに限定されるものではなく、ブレーキ負圧に基づいてエンジン３０の始動要求予測を行なうものとしたり、エンジン３０の冷却水の温度に基づいてエンジン３０の始動要求予測を行なうものとするなど、検出された機関始動影響物理量に基づいて機関始動要求手段により始動要求が所定時間のうちに行なわれるのを予測するものであれば如何なるものとしても構わない。「始動時制御手段」としては、電子制御ユニット６０やエンジンＥＣＵ３２やＡＴＥＣＵ４２，空調用ＥＣＵ９０などの組み合わせたものに限定されるものではなく、他の電子制御ユニットを組み合わせたり、単一の電子制御ユニットで構成したりするなどとしても構わない。また、「始動時制御手段」としては、エンジン３０の始動要求予測が送信されたときに所定時間（２秒や３秒）に亘って誤動作防止制御やダイアグマスク制御を実行すると共にエンジンＥＣＵ３２やＡＴＥＣＵ４２，空調用ＥＣＵ９０などにより誤動作防止制御やダイアグマスク制御を実行し、エンジン３０の始動要求が送信されたときにスタータモータ４４を駆動すると共にエンジン３０の始動制御を実行するものに限定されるものではなく、始動要求が予測されたときには所定時間に亘って所定の異常対処処理が行なわれないよう異常検出時処理手段を制御すると共に始動要求が行なわれたときに内燃機関が始動されるよう内燃機関と電動機とを制御するものであれば如何なるものとしても構わない。なお、実施例の主要な要素と課題を解決するための手段の欄に記載した発明の主要な要素との対応関係は、実施例が課題を解決するための手段の欄に記載した発明を実施するための最良の形態を具体的に説明するための一例であることから、課題を解決するための手段の欄に記載した発明の要素を限定するものではない。即ち、課題を解決するための手段の欄に記載した発明についての解釈はその欄の記載に基づいて行なわれるべきものであり、実施例は課題を解決するための手段の欄に記載した発明の具体的な一例に過ぎないものである。
【００３２】
以上、本発明を実施するための最良の形態について実施例を用いて説明したが、本発明はこうした実施例に何等限定されるものではなく、本発明の要旨を逸脱しない範囲内において、種々なる形態で実施し得ることは勿論である。
【産業上の利用可能性】
【００３３】
本発明は、車両の製造産業などに利用可能である。
【図面の簡単な説明】
【００３４】
【図１】本発明の一実施例としての自動車２０の構成の概略を示す構成図である。
【図２】アイドルストップによりエンジン３０が自動停止している最中に電子制御ユニット６０により実行されるエンジン停止時制御ルーチンの一例を示すフローチャートである。
【図３】バッテリ５０の端子間電圧に基づいてエンジン３０の始動要求を行なう際にバッテリＥＣＵ５２により実行される始動要求送信処理の一例を示すフローチャートである。
【符号の説明】
【００３５】
２０  自動車、２２ａ，２２ｂ  前輪、２３  デファレンシャルギヤ、２４ａ，２４ｂ  後輪、３０  エンジン、３２  エンジン用電子制御ユニット（エンジンＥＣＵ）、３４  温度センサ、４０  オートマチックトランスミッション、４２  オートマチックトランスミッション用電子制御ユニット（ＡＴＥＣＵ）、４４  スタータモータ、４６  オルタネータ、５０  バッテリ、５２  バッテリ用電子制御ユニット（バッテリＥＣＵ）、５４  電圧センサ、５８  補機、６０  電子制御ユニット、６２  ＣＰＵ、６４  ＲＯＭ、６６  ＲＡＭ、７１  シフトレバー、７２  シフトポジションセンサ、７３  アクセルペダル、７４  アクセルペダルポジションセンサ、７５  ブレーキペダル、７６  ブレーキペダルポジションセンサ、７８  ブレーキマスタシリンダー、７９  油圧センサ、８０  車速センサ、９０  空調用電子制御ユニット（空調用ＥＣＵ）、９２  外気温センサ、９４  室内温センサ。
【図１】
2008215310.tif 000003
【図２】
2008215310.tif 000004
【図３】
2008215310.tif 000005